【手続補正書】
【提出日】平成24年7月27日(2012.7.27)
【手続補正１】
【補正対象書類名】明細書
【補正対象項目名】０００７
【補正方法】変更
【補正の内容】
【０００７】
本発明に係る空気調和機の室内機は、吸込口および吹出口が形成された室内機本体と、前記吸込口から前記吹出口に至る風路を形成する風路壁と、前記風路内に配置された送風機および熱交換器と、該熱交換器から滴下する水分を受け止めるドレンパンと、
前記風路壁の前記送風機よりも前記吹出口寄りの位置に形成され、前記風路壁の風路側の面に付着した着露水が通過自在な一つまたは複数のスリット状開口部と、を有することを特徴とする。
【手続補正２】
【補正対象書類名】明細書
【補正対象項目名】０００８
【補正方法】変更
【補正の内容】
【０００８】
本発明に係る空気調和機の室内機は、風路壁の風路側の面に付着した着露水が、スリット状開口部を通過して風路壁の反風路側に浸入し、着露水パンに受け止められ、さらに、風路壁の風路側の面に付着した着露水が通過自在な一つまたは複数のスリット状開口部と、を有するから、着露水の吹出口から室内への滴下（露落ち）が防止される。
また、着露水パンに着露水の発生を検知するセンサーを設置しても、風路抵抗が増すことはないから、省エネ運転が阻害されることがない。
さらに、スリット状開口部を風路壁の略幅（風流れに対して垂直方向の距離に同じ）に形成し、着露水パンに流入した着露水が集める位置（最下位置等）に、着露水の有無や増減を検知するセンサーを設置すれば、風路内の何れの位置において発生した着露水に対しても、早期にその発生を検知することが可能になる。そして、早期発見によって、早期に着露水の発生防止を実行すれば、着露水の発生が抑えられ、着露水の吹出口から室内への滴下（露落ち）がさらに防止され、快適性が向上する。
【手続補正３】
【補正対象書類名】明細書
【補正対象項目名】００２６
【補正方法】変更
【補正の内容】
【００２６】
（大径側の着霜水排出部）
図５において、室内機２００の着露水パン２２に水位センサー８０が設置されている。このとき、パン底板２２ａは一方のパン端板２２ｃに向かって低くなるように傾斜し、パン底板２２ａの一方のパン端板２２ｃの近くに水抜孔（溜まり防止手段に相当する）２４が形成されている。また、水抜孔２４の近くに水位センサー８０が設置されている。
したがって、室内機２００において、吹出風路５の何れの位置（特に、円弧流れ部５ｂの幅方向の何れの位置）において着露水が発生しても、これが着露水パン２２に流入する。そして、水位センサー８０方向に流れ、着露水の発生量が水抜孔２４から流出する量より多い場合には、着露水は着露水パン２２に貯蔵される（水嵩が増す）。やがて、満杯になると、一方のパン端板２２ｃの上縁からオーバーフローして、排水路１６を経由して副ドレンパン７に流入する。
【手続補正４】
【補正対象書類名】明細書
【補正対象項目名】００４３
【補正方法】変更
【補正の内容】
【００４３】
（制御フロー）
図１０において、室内機４００の制御手段は、冷房運転が開始（ＯＮ）されると（Ｓ１）、冷房運転されていることを確認して（Ｓ２）、下水位センサー８１の検知結果を参照する（Ｓ３）。そして、下水位センサー８１が着露水を検知していない（ＯＦＦ）場合は、着露水の発生が無いと判断し（Ｓ４）、着露水の発生を防止するアクションを実行しないで（Ｓ５）、ステップ２に戻る。このとき、連続的に戻っても、一定時間毎に戻ってもよい。
一方、下水位センサー８１が着露水を検知（ＯＮ）した場合には、上水位センサー８３の検知結果を参照する（Ｓ６の３）。そして、上水位センサー８３が着露水を検知しない（ＯＦＦ）場合には、着露水の発生初期であると判断し（Ｓ７の２）、第１アクションを実行し（実行開始または実行継続、Ｓ８の２）、ステップ２に戻る。
【手続補正５】
【補正対象書類名】明細書
【補正対象項目名】００４９
【補正方法】変更
【補正の内容】
【００４９】
（制御フロー）
図１２において、室内機５００の制御手段は、冷房運転が開始（ＯＮ）されると（Ｓ１）、冷房運転されていることを確認して（Ｓ２）、水位変化センサー９０の検知結果を参照する（Ｓ３の２）。
そして、水位変化センサー９０が着露水の水面高さの変化（以下、「水面上昇速度」と称す）Ｖｍを検知していないで、まだ、アクションを実行していない場合（Ｓ６において、アクション継続時間Ｈｍが所定の判断時間Ｈ２未満、Ｈｍ＜Ｈ２）は、着露水の発生が無いまたは発生の極初期であると判断し（Ｓ４）、着露水の発生を防止するアクションを実行しないで（Ｓ５）、ステップ２に戻り、連続的に繰り返す。
また、水位変化センサー９０が着露水の水面上昇速度Ｖｍを検知していない（Ｖｍ＝０）で、アクション継続時間Ｈｍが所定の判断時間Ｈ２を経過した場合（Ｓ６において、Ｈ２≦Ｈｍ）は、着露水ピット４０が満水になっている状態であるから（Ｓ９）、前記第２のアクションが奏功していないと判断して冷房運転を停止（ＯＦＦ）する（Ｓ１０）。
【手続補正６】
【補正対象書類名】明細書
【補正対象項目名】００５０
【補正方法】変更
【補正の内容】
【００５０】
一方、水位変化センサー９０が着露水の水面上昇を検知した場合（０＜Ｖｍ）、着露水が発生した初期であると判断し（Ｓ７）、アクションを実行（Ｓ８）し、ステップ２に戻る。このとき、水面上昇速度Ｖｍの大きさに応じて、アクションの強さを変更してもよい。例えば、水面上昇速度Ｖｍが所定の上昇速度Ｖ１よりも小さい場合は、着露水の単位時間当たりの発生量が比較的少ないとして、蒸発温度の上昇量を小さくし（例えば、１℃）、一方、水面上昇速度Ｖｍが所定の上昇速度Ｖ１よりも大きい場合は、着露水の単位時間当たりの発生量が比較的多いとして、蒸発温度の上昇量を大きく（例えば、３℃）する。あるいは、水面上昇速度Ｖｍの関数によって蒸発温度の上昇量を定めてもよい。
【手続補正７】
【補正対象書類名】明細書
【補正対象項目名】００５６
【補正方法】変更
【補正の内容】
【００５６】
（制御フロー）
図１５において、室内機７００の制御手段は、冷房運転が開始（ＯＮ）されると（Ｓ１）、冷房運転されていることを確認して（Ｓ２）、下水位センサー８１の検知結果を参照する（Ｓ３）。そして、下水位センサー８１が着露水を検知していない（ＯＦＦ）場合は、着露水の発生が無いと判断し（Ｓ４）、着露水の発生を防止するアクションを実行しないで（Ｓ５）、ステップ２に戻る。このとき、連続的に戻っても、一定時間毎に戻ってもよい。
一方、下水位センサー８１が着露水を検知（ＯＮ）した場合は、上水位センサー８３が着露水の検知結果を参照する（Ｓ６の３）と共に、下水位センサー８１がＯＮしてからの経過時間（以下、「センサー経過時間Ｓｍ」と称す）を参照する（Ｓ６の５）。
【手続補正８】
【補正対象書類名】明細書
【補正対象項目名】００５７
【補正方法】変更
【補正の内容】
【００５７】
そして、上水位センサー８３が着露水を検知しない（ＯＦＦ）で、且つ、センサー経過時間Ｓｍが所定のセンサー判断時間Ｓ１よりも短い場合は（Ｓｍ＜Ｓ１）、詰まりがなく、着露水の発生初期と判断し（Ｓ７）、アクションを実行し（実行開始または実行継続、Ｓ８）、ステップ２に戻る。
また、上水位センサー８３が着露水を検知しない（ＯＦＦ）で、且つ、センサー経過時間Ｓｍが所定のセンサー判断時間Ｓ１以上の場合は（Ｓ６の５において、Ｓ１≦Ｓｍ）、着露水の発生が無いにも関わらず、底水抜孔２４が詰まっていると判断し（Ｓ７の５）、アクションを停止（Ｓ５）し、ステップ２に戻る。
【手続補正９】
【補正対象書類名】明細書
【補正対象項目名】００５８
【補正方法】変更
【補正の内容】
【００５８】
さらに、上水位センサー８３が着露水を検知し（ＯＮ）、且つ、センサー−経過時間Ｓｍが所定のセンサー判断時間Ｓ１よりも短い場合は（Ｓ６の４において、Ｓｍ＜Ｓ１）、底水抜孔２４が詰まっているものの、着露水の発生初期と判断し（Ｓ７の６）、アクションを実行し（Ｓ８）、ステップ２に戻る。
また、上水位センサー８３が着露水を検知し（ＯＮ）、且つ、センサー経過時間Ｓｍが所定のセンサー判断時間Ｓ１以上の場合は（Ｓ６の４において、Ｓ１≦Ｓｍ）、底水抜孔２４が詰まって、着露水ピット４０が満水状態であると判断し（Ｓ９）、冷房運転を停止（ＯＦＦ）する（Ｓ１０）。
なお、底水抜孔２４および壁水抜孔４４の両方が詰まっている状態では、冷房運転を継続することができなくなるため、上水位センサー８３が着露水を検知（ＯＮ）してからの継続時間を測定して、該継続時間が所定の判断時間を超えた場合には、「底水抜孔２４および壁水抜孔４４の両方が詰まっている」ことを、報知するようにしてもよい。
【手続補正１０】
【補正対象書類名】特許請求の範囲
【補正対象項目名】全文
【補正方法】変更
【補正の内容】
【特許請求の範囲】
【請求項１】
吸込口および吹出口が形成された室内機本体と、
前記吸込口から前記吹出口に至る風路を形成する風路壁と、
前記風路内に配置された送風機および熱交換器と、
該熱交換器から滴下する水分を受け止めるドレンパンと、
前記風路壁の前記送風機よりも前記吹出口寄りの位置に形成され、前記風路壁の風路側の面に付着した着露水が通過自在な一つまたは複数のスリット状開口部と、
を有することを特徴とする空気調和機の室内機。
【請求項２】
前記スリット状開口部の周縁の一部に沿って前記風路壁の反風路側の面に水位センサーが設置され、
該水位センサーが前記スリット状開口部を通過する着露水を検知することを特徴とする請求項１記載の空気調和機の室内機。
【請求項３】
前記水位センサーが前記スリット状開口部を通過する着露水を検知した際、前記熱交換器に供給される冷媒の蒸発温度を高め、その後、前記水位センサーが前記スリット状開口部を通過する着露水の減少または消滅を検知した際に、前記熱交換器に供給される冷媒の蒸発温度を下げる制御手段を有することを特徴とする請求項２記載の空気調和機の室内機。
【請求項４】
前記スリット状開口部の下方で前記風路壁の反風路側の面に形成され、前記スリット状開口部を通過して前記風路壁の反風路側に浸入した着露水が流入する着露水パンと、着露水パンから流出した着露水を排水の為、前記主ドレンパン等に流入させる一つまたは複数の排水路とを有し、前記風路壁の風路側の面に付着して流下し、前記スリット状開口部を通過して前記風路壁の反風路側に浸入した着露水が、前記着露水パンおよび前記排水路を経由して、前記主ドレンパン等に排出されることを特徴とする請求項１乃至３の何れかに記載の空気調和機の室内機。
【請求項５】
前記着露水パンに形成され、一定量以上に流入した着露水を前記排水路に排出するための満水排出手段と、
前記着露水パンに形成され、流入した着露水の停留を防止して前記排水路に排出するための溜まり防止手段と、
前記着露水パンに設置され、前記着露水パンに着露水が流入したことを検知する水位センサーと、
を有することを特徴とする請求項１乃至４の何れかに記載の空気調和機の室内機。
【請求項６】
前記水位センサーが前記着露水パンに着露水が流入したことを検知した際、前記熱交換器に供給される冷媒の蒸発温度を高め、その後、前記水位センサーが前記着露水パンから着露水が流出したことを検知した際、前記熱交換器に供給される冷媒の蒸発温度を下げる制御手段を有することを特徴とする請求項５記載の空気調和機の室内機。
【請求項７】
前記着露水パンにカップ状の凹部である着露水ピットが設けられ、
該着露水ピットの上縁が前記満水排出手段を形成し、
前記着露水ピットの側壁に前記水位センサーが設置され、
前記着露水ピットの底に前記溜まり防止手段として機能する底水抜孔が形成されていることを特徴とする請求項５または６記載の空気調和機の室内機。
【請求項８】
前記着露水ピットの側壁に形成され、前記底水抜孔が前記溜まり防止手段として機能しなくなった場合に、前記溜まり防止手段として機能する壁水抜孔を備え、
前記水位センサーが前記壁水抜孔の上下にそれぞれ設置されていることを特徴とする請求項７記載の空気調和機の室内機。
【請求項９】
前記水位センサーが、対向した導電板の間に着露水が浸入した際、該導電板間に生じる静電容量の変化を検知するものであることを特徴とする請求項５乃至８の何れかに記載の空気調和機の室内機。
【請求項１０】
前記着露水パンに形成され、一定量以上に流入した着露水を前記排水路に排出するための満水排出手段と、
前記着露水パンに形成され、流入した着露水の停留を防止して前記排水路に排出するための溜まり防止手段と、
前記着露水パンに設置され、前記着露水パンに流入する着露水の流入量の変化を検知する水位変化センサーと、
前記水位変化センサーが前記流入量が増加していることを検知した際、前記熱交換器に供給される冷媒の蒸発温度を高め、その後、前記水位変化センサーが前記流入量が減少していることを検知した際、前記熱交換器に供給される冷媒の蒸発温度を下げる制御手段と、
を有することを特徴とする請求項１乃至４の何れかに記載の空気調和機の室内機。
【請求項１１】
前記着露水パンにカップ状の凹部である着露水ピットが設けられ、
該着露水ピットの上縁が前記満水排出手段を形成し、
前記着露水ピットの側壁に前記水位変化センサーが設置され、
前記着露水ピットの底に前記溜まり防止手段として機能する底水抜孔が形成されていることを特徴とする請求項１０記載の空気調和機の室内機。
【請求項１２】
前記着露水ピットの側壁に形成され、前記底水抜孔が前記溜まり防止手段として機能しなくなった場合に、前記溜まり防止手段として機能する壁水抜孔を備え、
前記水位変化センサーが前記壁水抜孔の上下にそれぞれ設置されていることを特徴とする請求項１１記載の空気調和機の室内機。
【請求項１３】
前記水位変化センサーが、対向した導電板の間に着露水が浸入した際、該導電板間に生じる静電容量の変化を検知するものであることを特徴とする請求項１０乃至１２の何れかに記載の空気調和機の室内機。
【請求項１４】
前記制御手段が、前記熱交換器に供給される冷媒の蒸発温度を高めた時間が、所定時間を超えた時、前記熱交換器への冷媒の供給を停止することを特徴とする請求項５乃至１３の何れかに記載の空気調和機の室内機。
【請求項１５】
前記制御手段が、前記熱交換器に供給される冷媒の蒸発温度を高めるのに替えて、前記送風機の回転数を減らし、且つ、前記熱交換器に供給される冷媒の蒸発温度を下げるのに替えて、前記送風機の回転数を高めることを特徴とする請求項５乃至１４の何れかに記載の空気調和機の室内機。
【請求項１６】
前記制御手段が、前記送風機の回転数を減らした時間が、所定時間を超えた時、前記熱交換器への冷媒の供給を停止することを特徴とする請求項１５記載の空気調和機の室内機。
【請求項１７】
前記風路壁の反風路側の面に、前記排水路の一部を構成する副ドレンパンが設置され、
前記満水排出手段を通過して溢れ出した着露水が前記副ドレンパンに流入することを特徴とする請求項５乃至１６の何れかに記載の空気調和機の室内機。
【請求項１８】
前記風路壁の反風路側の面で前記スリット状開口部の上方に、前記着露水パンを覆う着露水パン庇が形成され、
前記スリット状開口部を通過して反風路側に浸入した着露水が、前記着露水パン庇の下面を伝わって前記着露水パンに滴下し、
前記風路壁の反風路側の面に付着して流下した水分が、前記着露水パン庇の上面を伝わって前記副ドレンパンに滴下することを特徴とする請求項１７記載の空気調和機の室内機。
【請求項１９】
前記スリット状開口部が、前記風路壁の風路側の面に付着して流下する着露水は通過自在で、前記送風機によって吹き出された空気は通過困難な透湿浸透膜によって閉塞されていることを特徴とする請求項１乃至１８の何れかに記載の空気調和機の室内機。
【手続補正１１】
【補正対象書類名】図面
【補正対象項目名】図１５
【補正方法】変更
【補正の内容】
【図１５】
2011144967.tif 000001